(57)【特許請求の範囲】
【請求項１】
通信回線を介してギフト商品の販売と寄付の受付をコンピュータ装置が行う方法であって、
ギフト商品を購入する贈答者が使用する贈答者端末と通信し、贈答者端末からの入力情報を受け付けてギフト商品の販売処理、ならびに販売したギフト商品を送付するお届け先に関するデータをデータ格納部に格納する処理を行う第１のステップと、
寄付先決定処理に関する情報を含む寄付の案内に関する電子メールを生成し、上記設定処理により設定されたお届け先のメールアドレスに対して送信することにより、お届け先に対して寄付先の決定処理を促す第２のステップと、
上記お届け先が使用するお届け先端末と通信し、お届け先端末で入力された寄付先決定情報を受け付けてデータ格納部に格納する第３のステップと、
を上記コンピュータ装置が実行することを特徴とする寄付処理方法。
【請求項２】
上記第１のステップにおいて、
寄付先を贈答者が決めるかお届け先が決めるかを選択させる選択処理を上記コンピュータ装置が実行し、
上記選択処理において、寄付先をお届け先が決める選択がなされたときに、第２のステップおよび第３のステップを上記コンピュータ装置が実行する、
請求項１記載の寄付処理方法。
【請求項３】
上記第１のステップにおいて、
販売したギフト商品の配送日の指定に関する配送日指定処理を上記コンピュータ装置が実行し、
上記配送日指定処理が過ぎて所定期間、第３のステップによる寄付先決定情報の受け付けがない場合、販売者が決定した寄付先に決定する処理を上記コンピュータ装置が実行する、
請求項１または２記載の寄付処理方法。
【請求項４】
通信回線を介してギフト商品の販売と寄付の受付をコンピュータ装置が行うシステムであって、
ギフト商品を購入する贈答者が使用する贈答者端末と通信し、贈答者端末からの入力情報を受け付けてギフト商品の販売処理、ならびに販売したギフト商品を送付するお届け先に関するデータをデータ格納部に格納する処理を行う手段と、
寄付先決定処理に関する情報を含む寄付の案内に関する電子メールを生成し、上記設定処理により設定されたお届け先のメールアドレスに対して送信することにより、お届け先に対して寄付先の決定処理を促す手段と、
上記お届け先が使用するお届け先端末と通信し、お届け先端末で入力された寄付先決定情報を受け付けてデータ格納部に格納する手段と、
を上記コンピュータ装置が備えたことを特徴とする寄付処理システム。
【請求項５】
通信回線を介してギフト商品の販売と寄付の受付をコンピュータ装置に実行させるプログラムであって、
ギフト商品を購入する贈答者が使用する贈答者端末と通信し、贈答者端末からの入力情報を受け付けてギフト商品の販売処理、ならびに販売したギフト商品を送付するお届け先に関するデータをデータ格納部に格納する処理を行うステップと、
寄付先決定処理に関する情報を含む寄付の案内に関する電子メールを生成し、上記設定処理により設定されたお届け先のメールアドレスに対して送信することにより、お届け先に対して寄付先の決定処理を促すステップと、
上記お届け先が使用するお届け先端末と通信し、お届け先端末で入力された寄付先決定情報を受け付けてデータ格納部に格納するステップと、
を上記コンピュータ装置に実行させることを特徴とする寄付処理プログラム。
【発明の詳細な説明】
【技術分野】
【０００１】
本発明は、主としてギフト商品の通信販売において、商品のお届けとともに、寄付を行うことでができる寄付処理方法およびシステムならびにプログラムに関する。
【背景技術】
【０００２】
従来から、インターネットを利用して寄付行為を行ないやすくするシステムが考案されてきた。
下記の特許文献１には、「ユーザが募集団体のホームページ上のバナーをクリックして協賛企業のホームページを閲覧し、寄付したい団体を選ぶことにより、広告費が協賛企業から団体に支払われるようにした寄付システム」が開示されている。
下記の特許文献２には、「コンテンツ表示画面の中からユーザが選択した寄付ボタンに対応した所定金額の寄付データを生成し、当該寄付データをインターネットを介してＡＳＰの管理サーバに送信することにより、当該ＡＳＰの管理サーバを介してコンテンツ制作者に対するユーザの寄付行為を容易に実行できるようにした寄付処理システム」が開示されている。
下記の特許文献３には、「閲覧者が当システム上のＷＷＷサーバー上にある協賛企業のホームページにアクセスし、設けてあるバナー広告をクリックすると、閲覧者のブラウザを協賛企業のサーバーへ接続して一定時間広告が表示されると同時に、募金管理サーバーにて、協賛企業のサーバーに募金の請求を送り、協賛企業は送られてきた請求等を基に送金を行い、募金管理サーバが入金を確認したら慈善団体に入金額に応じた寄付を行うことにより、協賛企業の広告と慈善団体への募金活動を支援する募金システム」が開示されている。
【先行技術文献】
【特許文献】
【０００３】
【特許文献１】特開２００２−２４７１２号公報
【特許文献２】特開２００１−３４４５３０号公報
【特許文献２】特開２００１−２８３０８２号公報
【発明の概要】
【発明が解決しようとする課題】
【０００４】
しかしながら、ギフト通販と寄付活動を連動させ、ギフト商品を選ぶ購買者が寄付行為を行ない、当該寄付行為の寄付先を、ギフト商品の購買者ではなくギフト商品が送られたギフトお届け先が決定可能なシステムは今まで開発されていない。このようなシステムがあれば、ギフト商品を受け取った側は、購買者（ギフトの送り主）から単に商品だけが届けられるのではなく、寄付という社会貢献意識まで同時に届けられ、しかも寄付先の決定権まで与えられる。したがって、単なる贈答よりはるかにインパクトがあって気持ちのこもった贈り物となる。
【０００５】
本発明は、このような事情に鑑みなされたもので、ギフト通販と寄付活動を連動させ、ギフト商品を選ぶ購買者が寄付行為を行ない、当該寄付行為の寄付先を、ギフト商品の購買者ではなくギフト商品が送られたギフトお届け先が決定可能な寄付処理方法およびシステムならびにプログラムを提供することを目的とする。
【課題を解決するための手段】
【０００６】
上記の目的を達成するために、本発明の寄付処理方法は、通信回線を介してギフト商品の販売と寄付の受付をコンピュータ装置が行う方法であって、
ギフト商品を購入する贈答者が使用する贈答者端末と通信し、贈答者端末からの入力情報を受け付けてギフト商品の販売処理、ならびに販売したギフト商品を送付するお届け先に関するデータをデータ格納部に格納する処理を行う第１のステップと、
寄付先決定処理に関する情報を含む寄付の案内に関する電子メールを生成し、上記設定処理により設定されたお届け先のメールアドレスに対して送信することにより、お届け先に対して寄付先の決定処理を促す第２のステップと、
上記お届け先が使用するお届け先端末と通信し、お届け先端末で入力された寄付先決定情報を受け付けてデータ格納部に格納する第３のステップと、
を上記コンピュータ装置が実行することを要旨とする。
【０００７】
また、上記の目的を達成するために、本発明の寄付処理システムは、通信回線を介してギフト商品の販売と寄付の受付をコンピュータ装置が行うシステムであって、
ギフト商品を購入する贈答者が使用する贈答者端末と通信し、贈答者端末からの入力情報を受け付けてギフト商品の販売処理、ならびに販売したギフト商品を送付するお届け先に関するデータをデータ格納部に格納する処理を行う手段と、
寄付先決定処理に関する情報を含む寄付の案内に関する電子メールを生成し、上記設定処理により設定されたお届け先のメールアドレスに対して送信することにより、お届け先に対して寄付先の決定処理を促す手段と、
上記お届け先が使用するお届け先端末と通信し、お届け先端末で入力された寄付先決定情報を受け付けてデータ格納部に格納する手段と、
を上記コンピュータ装置が備えたことを要旨とする。
【０００８】
また、上記の目的を達成するために、本発明の寄付処理プログラムは、通信回線を介してギフト商品の販売と寄付の受付をコンピュータ装置に実行させるプログラムであって、
ギフト商品を購入する贈答者が使用する贈答者端末と通信し、贈答者端末からの入力情報を受け付けてギフト商品の販売処理、ならびに販売したギフト商品を送付するお届け先に関するデータをデータ格納部に格納する処理を行うステップと、
寄付先決定処理に関する情報を含む寄付の案内に関する電子メールを生成し、上記設定処理により設定されたお届け先のメールアドレスに対して送信することにより、お届け先に対して寄付先の決定処理を促すステップと、
上記お届け先が使用するお届け先端末と通信し、お届け先端末で入力された寄付先決定情報を受け付けてデータ格納部に格納するステップと、
を上記コンピュータ装置に実行させることを要旨とする。
【発明の効果】
【０００９】
すなわち、本発明によれば、ギフト通販と寄付活動が連動し、ギフト商品を選ぶ贈答者が寄付行為を行ない、当該寄付行為の寄付先を、ギフト商品の贈答者ではなくギフト商品が送られたギフトお届け先が決定可能である。このようにすることにより、ギフト商品を受け取った側は、贈答者から単に商品だけが届けられるのではなく、寄付という社会貢献意識まで同時に届けられ、しかも寄付先の決定権まで贈られる。したがって、単なる贈答よりはるかにインパクトがあって気持ちのこもった贈り物となる。
【００１０】
本発明において、上記第１のステップにおいて、
寄付先を贈答者が決めるかお届け先が決めるかを選択させる選択処理を上記コンピュータ装置が実行し、
上記選択処理において、寄付先をお届け先が決める選択がなされたときに、第２のステップおよび第３のステップを上記コンピュータ装置が実行する場合には、
贈答者が自分で寄付先を決定したいときは自分で決定した寄付先に寄付できるようになる。
【００１１】
本発明において、上記第１のステップにおいて、
販売したギフト商品の配送日の指定に関する配送日指定処理を上記コンピュータ装置が実行し、
上記配送日指定処理が過ぎて所定期間、第３のステップによる寄付先決定情報の受け付けがない場合、販売者が決定した寄付先に決定する処理を上記コンピュータ装置が実行する場合には、
お届け先が寄付先決定をしなかった場合、販売者が寄付先を決定することができる。
【図面の簡単な説明】
【００１２】
【図１】本発明の一実施形態の寄付処理システムを示すシステム構成図である。
【図２】サーバ装置を示す機能ブロック図である。
【図３】本発明の一実施形態の寄付処理方法の処理手順の一例を示す図である。
【図４】大切な日登録ページの一例を示す図である。
【図５】大切な日お知らせメールの一例を示す図である。
【図６】ギフト販売ページの一例を示す図である。
【図７】お届け先設定ページの一例を示す図である。
【図８】配送日指定ページの一例を示す図である。
【図９】ギフトお届けメールの一例を示す図である。
【図１０】寄付先決定ページの一例を示す図である。
【発明を実施するための形態】
【００１３】
以下、本発明を実施するための形態について説明する。
【００１４】
図１は、本発明の一実施の形態の寄付処理システムを示すシステム構成図である。
【００１５】
この例は、コンピュータ装置である端末装置（贈答者端末１、お届け先端末２、販売者端末５）が、通信回線であるインターネット３を介してサーバ装置４と通信可能に接続され、本発明の寄付処理プログラムを実行して本発明の寄付処理方法を実現し、本発明の寄付処理システムとして機能する。
【００１６】
具体的には、上記サーバ装置４は、インターネットで閲覧可能なウェブサイト上において「大切な日お知らせサービス」および連携型社会貢献ショッピングとしての「ギフト販売サービス」を提供するサーバである。上記贈答者端末１は、上記提供する「大切な日お知らせサービス」および「ギフト販売サービス」を利用して知人等にギフトを贈答する贈答者が使用する端末装置である。上記お届け先端末２は、上記贈答者からギフトが贈られたお届け先が使用する端末装置である。上記販売者端末５は、上記「ギフト販売サービス」に自社商品を出品してギフト商品を販売する販売者が使用する端末装置である。
【００１７】
「大切な日お知らせサービス」は、ユーザ（例えば贈答者）が、大切な日を忘れないよう登録しておくことにより、その大切な日の到来が近づいたときに登録メールアドレスに対してお知らせメールを送信する等の方法で大切な日が近づいていることをお知らせするものである。例えば、知人の結婚記念日や誕生日をメールアドレスとともに登録しておくことにより、例えばその１週間前になったら「その知人の結婚記念日が１週間後である」あるいは「知人の誕生日が１週間後である」等をお知らせする電子メールを登録したメールアドレスに送信するサービスである。
【００１８】
連携型社会貢献ショッピングとしての「ギフト販売サービス」は、ギフト商品のインターネット販売サイトであり、販売するギフト商品に所定の寄付を付加して販売するものである。例えば商品代金１０５００円（消費税５％込）の商品に対して２００円の寄付を付加して販売する。そうすると、購入する贈答者は、商品代金の１０５００円に寄付金の２００円を上乗せして商品を購入する。この寄付金を所望の寄付先に寄付するにあたって、寄付先の決定を、ギフトが贈られたお届け先が行うことができるようにしている。
【００１９】
図では、１つのサーバ装置４に対して贈答者端末１、お届け先端末２および販売者端末５をそれぞれ１つずつしか示していないが、実際には１つのサーバ装置４に対してそれぞれ複数の贈答者端末１、お届け先端末２および販売者端末５を接続して通信を行ないうるようになっている。
【００２０】
上記サーバ装置４は、インターネット３に接続され、例えば、同じくインターネット３に接続された端末装置においてウェブページを閲覧可能とするウェブサーバや上記ウェブサーバにおけるウェブページを構築するためのデータを提供するためのデータベースサーバとして機能する。
【００２１】
上記サーバ装置４は、通信操作部や大容量データ記憶装置などを備えたシステムであり、中央処理装置がハードディスク装置等の外部記憶装置に記録されたプログラムを読み出し、そのプログラムに従って処理を実行することにより種々の機能を実現する。
【００２２】
上記サーバ装置４は、インターネット３を介してアクセスしてきた各端末装置と、例えばＨＴＴＰ（HyperText Transfer Protocol）等のプロトコルに従ってデータ通信を行うことでＷＥＢ配信サーバとして機能する。すなわち、上記サーバ装置４は、各端末装置からの要求に応じて、ＨＴＭＬ（HyperText Markup Language）等のデジタル文書記述言語により記述された文書や画像を含むデータであるウェブページを当該端末装置へ向けて送信する。端末装置では、例えば後述するブラウザ装置により、それらのウェブページをディスプレイ等の表示装置に表示し、情報の閲覧に供したり、必要な情報の入力やサーバ装置４への送信を行ったりする。
【００２３】
上記サーバ装置４には、固有のネットワークアドレス（ＵＲＬ）が与えられている。ユーザ（贈答者、販売者、お届け先）およびサーバシステムの管理者は、それぞれの端末装置でこのＵＲＬを指定することにより、サーバ装置４へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力してサーバ装置４に対して送信し、意思決定情報やメッセージ等をサーバ装置４に対して送信するようになっている。
【００２４】
図２は、上記サーバ装置４の一例を示す機能ブロック図である。
【００２５】
上記サーバ装置は、各種のデータが格納される記憶装置７と、各端末装置との通信、データの入出力、データの格納や読み出し、データ処理等の処理を行う処理装置６とを備えている。
【００２６】
上記記憶装置７は、本実施形態の寄付処理方法を実現するために必要なデータを格納するもので、少なくとも、お知らせデータ格納部１４、販売取引データ格納部１５、贈答者データ格納部４９、お届け先データ格納部１６、商品データ格納部１７、販売者データ格納部１８、寄付先データ格納部１９、ウェブページデータ格納部２０を備えている。
【００２７】
上記お知らせデータ格納部１４は、上述した「大切な日お知らせサービス」を提供するために必要なデータが格納される。具体的には、例えば、ユーザの端末装置（贈答者端末１等）から受信して登録を受け付けたデータである、ユーザ名、メールアドレス、大切な日の年月日、大切な人の名前、大切なこと（結婚記念日、誕生日等）毎年の繰り返しの有無、予告希望日（１ヶ月前、１週間前等）、お知らせメール（図５参照）のテンプレート、などのデータである。これらのデータが、１登録ごとに格納されている。
【００２８】
上記販売取引データ格納部１５は、上述した「ギフト販売サービス」を提供するために必要なデータが格納される。具体的には、例えば、取引コード、配送日、配送時間帯、お届け先コード、お届けコード、決定された寄付先の寄付先コード、お届けメール（図９参照）のテンプレート、などのデータである。
【００２９】
贈答者データ格納部４９は、上述した「ギフト販売サービス」を利用するユーザである贈答者に関するデータが格納される。具体的には、例えば、贈答者コード、氏名、住所、電話番号、メールアドレス、登録記念日の年月日、登録記念日の内容などのデータである。これらのデータが、贈答者コードごとに格納されている。この贈答者データ格納部４９に格納されるデータは、例えば、図示しないユーザ登録ページ等により贈答者端末１から受信して登録を受け付けたデータである。
【００３０】
上記お届け先データ格納部１６は、上述した「ギフト販売サービス」において、贈答者端末１から受信して登録を受け付けたお届け先に関するデータが格納されている。例えば、郵便番号、住所、会社名、氏名、電話番号、メールアドレス、お届け先コード、当該お届け先をお届け先登録する旨のフラグ等などのデータである。これらのデータが、お届け先コードごとに格納されている。
【００３１】
上記商品データ格納部１７は、上述した「ギフト販売サービス」を提供するために必要な商品データが格納される。具体的には、例えば、商品コード、商品カテゴリ、商品名、商品画像、商品価格、寄付金の額、送料、当該商品を販売する販売者の販売者コード、販売者が決定する寄付先、などのデータである。これらのデータが、商品ごとに格納されている。この商品データ格納部１７に格納されるデータは、例えば、図示しない商品登録ページ等により販売者端末５から受信して登録を受け付けたデータである。
【００３２】
上記販売者データ格納部１８は、上述した「ギフト販売サービス」において販売する商品を出店する販売者に関するデータが格納される。具体的には、例えば、販売者コード、店舗名、担当者名、郵便番号、住所、電話番号、ファックス番号、メールアドレスなどのデータである。これらのデータが、各販売者に割り振られた販売者コードごとに格納されている。
【００３３】
上記寄付先データ格納部１９は、本実施形態の寄付処理方法によって寄付金を送る寄付先に関するデータが格納されている。例えば、名称、所在地、代表者名、アイコン画像、活動内容の紹介テキスト、ホームページＵＲＬ、寄付先コード等である。
【００３４】
上記ウェブページデータ格納部２０は、本実施形態の寄付処理方法を実現するために必要なウェブページをインターネット上で閲覧可能とするために必要なデータが格納されている。例えば、「大切な日お知らせサービス」を提供するための大切な日登録ページ２１（図４参照）のテンプレートデータ、「ギフト販売サービス」を提供するためのギフト販売ページ（図６参照）、お届け先設定ページ（図７参照）、配送日指定ページ（図８参照）、寄付先決定ページ（図１０参照）の各テンプレートデータ、などのデータである。
【００３５】
上記処理装置６は、本実施形態の寄付処理方法を実現するために必要な処理を実行するもので、少なくとも、お知らせ処理部８、販売取引処理部９、寄付処理部１０、メール処理部１１、ウェブページ表示処理部１２、通信処理部１３とを備えている。
【００３６】
上記お知らせ処理部８は、「大切な日お知らせサービス」を提供するための処理を実行する。具体的には、大切な日登録ページ２１（図４参照）においてユーザ（贈答者等）の端末装置から受け付けたデータを、お知らせデータ格納部１４に格納し、指定の予告日が到来したときに、お知らせメール（図５参照）を生成して当該ユーザのメールアドレス宛に送信する。
【００３７】
上記販売取引処理部９は、「ギフト販売サービス」を提供するための処理を実行する。具体的には、ギフト販売ページ（図６参照）において、贈答者端末１から商品の選択、寄付先を決める主体の選択を受け付け、販売取引データ格納部１５に格納する。また、お届け先設定ページ（図７参照）において、贈答者端末１からお届け先の郵便番号、住所、会社名、氏名、電話番号、メールアドレス、お届け先コード、当該お届け先をお届け先登録する旨のフラグ等のデータを受け付けてお届け先データ格納部１６に格納する。また、配送日指定ページ（図８参照）において、贈答者端末１から指定配送日、配送時間帯等のデータを受け付けて販売取引データ格納部１５に格納する。また、記念日登録された場合は、贈答者データ格納部４９に登録する。
【００３８】
上記寄付処理部１０は、寄付先決定ページ（図１０参照）において、お届け先端末２から寄付先にかかる寄付先コードとお届けコードとを受け付けて販売取引データ格納部１５に格納する。
【００３９】
上記メール処理部１１は、「大切な日お知らせサービス」を提供するための処理において、お知らせメール（図５参照）を生成して送信し、「ギフト販売サービス」を提供するための処理において、お届けメール（図９参照）を生成して送信する。
【００４０】
上記ウェブページ表示処理部１２は、「大切な日お知らせサービス」を提供するための処理において、大切な日登録ページ２１（図４参照）をウェブ閲覧可能となるように処理し、「ギフト販売サービス」を提供するための処理において、ギフト販売ページ（図６参照）、お届け先設定ページ（図７参照）、配送日指定ページ（図８参照）、寄付先決定ページ（図１０参照）を、それぞれウェブ閲覧可能となるように処理する。
【００４１】
上記通信処理部１３は、上述した「大切な日お知らせサービス」および「ギフト販売サービス」を提供するための処理において、各端末装置におけるウェブページの閲覧、各端末装置で入力されたデータの受け付け、電子メールの送信等の通信を処理する。
【００４２】
上記贈答者端末１、お届け先端末２、販売者端末５は、キーボードやマウス等の入力手段、液晶ディスプレイ等による表示手段、ＨＤＤ等による記憶装置、ＣＤ−ＲＯＭドライブ等による外部読込手段、ＣＰＵやＲＡＭを含む演算処理装置等から構成されたコンピュータ装置である。
【００４３】
これらのコンピュータ装置は、インターネット３に接続して通信するための通信手段を備え、インターネット３を経由してサーバ装置４と通信可能に構成されている。具体的には、サーバ装置４が出力したウェブページを受信して後述する所定の情報を表示するブラウザ、電子メールの送受信を行うメーラー等を備えている。
【００４４】
図３は、本実施形態の寄付処理方法の処理手順の一例を示す図である。
【００４５】
本実施形態の寄付処理方法は、通信回線を介してギフト商品の販売と寄付の受付を行うものである。
【００４６】
（商品登録）
まず、販売者端末５をサーバ装置４に接続し、図示しない商品登録ページを販売者端末５に表示して商品データおよび寄付データを入力し、サーバ装置４に送信する。具体的には、商品データとしては、商品コード、商品カテゴリ、商品名、商品画像、商品価格、寄付金の額、送料、当該商品を販売する販売者の販売者コード、などのデータである。また、寄付データとしては、お届け先端末５から、配送日指定処理が過ぎて所定期間寄付先決定情報の受け付けがない場合に寄付先に決定する、販売者が決定する寄付先に関するデータである。販売者端末５からサーバ装置４に対して送信された商品データおよび寄付データは、後述する「ギフト販売サービス」の提供において使用される。
【００４７】
（大切な日お知らせサービス）
まず、ユーザの端末装置（当該ユーザが後に贈答者となる場合は贈答者端末１である）をサーバ装置４に接続し、大切な日登録ページ２１を表示する。
【００４８】
図４は、大切な日登録ページ２１の一例を示す。
【００４９】
この例では、大切な日登録ページ２１には、登録を希望する大切な日を入力する日付入力部２２、当該大切な日の当事者名を入力する相手入力部２３、その大切な日に係る大切なことを入力するイベント名入力部２４、その大切な日が毎年繰り返すものか否かを入力する繰り返し情報入力部２５、その大切な日の到来を予告する希望の日付を入力する予告日入力部２６、当該大切な日の通知先に関する情報を入力するお知らせ先入力部２７、上記各入力部に入力した情報をサーバ装置４に送信して登録する登録ボタン２８が表示されている。
【００５０】
上記日付入力部２２は、年を選択入力するためのプルダウンメニュー２２ａ、月を選択入力するためのプルダウンメニュー２２ｂ、日を選択入力するためのプルダウンメニュー２２ｃを備えており、年月日をそれぞれ選択入力しうるようになっている。上記相手入力部２３には、氏名をテキスト入力可能な入力ボックス２３ａを備えている。
イベント名入力部２４は、代表的なイベント（例えば誕生日や結婚記念日）を選択入力するためのプルダウンメニュー２４ａと、プルダウンメニューにないイベントをテキスト入力可能な入力ボックス２４ｂを備えている。
【００５１】
繰り返し情報入力部２５は、毎年の繰り返しが「ある」を選択するラジオボタン２５ａと、毎年の繰り返しが「ない」を選択するラジオボタン２５ｂを備えている。予告日入力部２６は、３ヶ月前を選択するラジオボタン２６ａ、１ヶ月前を選択するラジオボタン２６ｂ、２週間前を選択するラジオボタン２６ｃ、１週間前を選択するラジオボタン２６ｄその他を選択するラジオボタン２６ｅ、その他を選択したときに何日前かを選択するプルダウンメニュー２６ｆを備えている。お知らせ先入力部２７は、名前を入力する入力ボックス２７ａと、メールアドレスを入力する入力ボックス２７ｂを備えている。
【００５２】
ユーザの端末装置において、上記大切な日登録ページ２１を表示し、各入力部に必要な情報を入力し、登録ボタン２８にマウスポインタを合わせてクリックすることにより、上記各入力部に入力された情報が、サーバ装置４に送信され、お知らせデータ格納部１４に格納され、大切な日をお知らせできる状態となる。その後、予告日入力部２６に入力した予告日が到来すると、お知らせ処理部８は、大切な日お知らせメール２９を生成してお知らせ先入力部２７に入力された入力ボックスに対して送信する。
【００５３】
図５は、大切な日お知らせメールの一例を示す図である。
【００５４】
このメールは、ユーザが登録した大切な日が到来したことを、当該登録を行ったユーザに対して通知するものである。このメールには、「ギフト販売サービス」を提供するためのギフト販売ページ３１をブラウザで表示するためのリンク３０を含んでいる。
【００５５】
（ギフト販売サービス）
当該ギフト販売サービスでは、ギフト商品を購入する贈答者が使用する贈答者端末１と通信し、贈答者端末１からの入力情報を受け付けてギフト商品の販売処理、ならびに販売したギフト商品を送付するお届け先の設定処理を行う第１のステップを実行する。また、寄付先決定処理に関する情報を含む寄付の案内に関する電子メールを生成し、上記設定処理により設定されたお届け先のメールアドレスに対して送信することにより、お届け先に対して寄付先の決定処理を促す第２のステップを実行する。さらに、上記お届け先が使用するお届け先端末２と通信し、お届け先端末２で入力された寄付先決定情報を受け付ける第３のステップを実行する。
【００５６】
図６は、ギフト販売ページ３１の一例を示す図である。
【００５７】
この例では、ギフト販売ページ３１には、寄付報告表示ボタン３２、商品選択部３３、寄付者選択部３４、次へ進むボタン３５が表示されている。
【００５８】
寄付報告表示ボタン３２は、当該ギフト販売ページ３１の利用者である購買者によって行われた寄付の実績（寄付先名称と、それぞれの寄付先への寄付の総額）の一覧を表示する画面にリンクするボタンである。商品選択部３３は、商品名、商品画像、商品価格、寄付額が表示され、その商品の購入を選択するためのチェックボックス３３ａを備えている。寄付者選択部３４は、当該商品の購入に付随した寄付につき、寄付先の決定を誰が行うのかを選択するものであり、贈り主（贈答者）が決定する旨を選択するラジオボタン３４ａと、お届け先が決定する旨を選択するラジオボタン３４ｂとを備えている。
【００５９】
ここで、贈り主（贈答者）が決定する旨が選択された場合、次へ進むボタン３５を押したときに、お届け先設定ページ３６を表示する前に、図示しない寄付先を決定するページを表示し、贈答者自身が寄付先を決定することができるようになっている。一方、お届け先が決定する旨が選択された場合、後述するように、お届け先に対して寄付先の決定処理を促すステップ、上記お届け先が使用するお届け先端末２と通信し、お届け先端末２で入力された寄付先決定情報を受け付けるステップを実行する。
【００６０】
すなわち、上記第１のステップにおいて、寄付先を贈答者が決めるかお届け先が決めるかを選択させる選択処理を実行し、上記選択処理において、寄付先をお届け先が決める選択がなされたときに、第２のステップおよび第３のステップを実行するようになっている。
【００６１】
図７は、お届け先設定ページ３６の一例を示す図である。
【００６２】
この例では、お届け先設定ページ３６は、新規お届け先入力部３７、お届け先選択部３８、次へ進むボタン３９が表示されている。
【００６３】
新規お届け先入力部３７は、郵便番号を入力する入力ボックス３７ａ、住所を入力する入力ボックス３７ｂ、会社名を入力する入力ボックス３７ｃ、氏名を入力する入力ボックス３７ｄ、電話番号を入力する入力ボックス３７ｅ、メールアドレスを入力する入力ボックス３７ｆを備えている。また、当該お届け先をお届け先登録する旨を選択するチェックボックス３７ｇを備えている。
【００６４】
お届け先選択部３８は、既にお届け先登録されたお届け先名および所在地が表示され、お届け先として選択するためのラジオボタン３８ａを備え、今回のギフトのお届け先として登録されたお届け先を選択することにより、お届け先の入力作業を省略しうるものである。
【００６５】
お届け先設定ページ３６では、新規お届け先入力部３７に所定の情報を入力して次へ進むボタン３９をクリックすると、入力された情報がサーバ装置４に送信される。またはお届け先選択部３８では、既にお届け先データ格納部１６に格納されたデータが表示されているので、所望のお届け先を選択して次へ進むボタン３９をクリックすると、選択されたお届け先が読み出される。次へ進むボタン３９のクリックにより、配送日指定ページ４０に移動する。
【００６６】
図８は、配送日指定ページ４０の一例を示す図である。
【００６７】
この例では、配送日指定ページ４０は、指定する配送日を入力するための配送日指定部４１、配送時間帯を選択して指定するための時間帯指定部４２、次へ進むボタン４３が表示されている。
【００６８】
配送日指定部４１は、年を選択入力するためのプルダウンメニュー４１ａ、月を選択入力するためのプルダウンメニュー４１ｂ、日を選択入力するためのプルダウンメニュー４１ｃを備えており、年月日をそれぞれ選択入力しうるようになっている。また、ここで指定した配送日を記念日登録する旨を選択するチェックボックス４１ｄを備えている。時間帯指定部４２は、時間帯を特に指定しないを選択するラジオボタン４２ａ、１０：００〜１２：００を選択するラジオボタン４２ｂ、１２：００〜１５：００を選択するラジオボタン４２ｃ、１５：００〜１８：００を選択するラジオボタン４２ｄ、１８：００〜２１：００を選択するラジオボタン４２ｅを備えており、時間帯を指定しうるようになっている。次へ進むボタン４３をクリックすることにより、図示しない決済データ入力画面に移り、決済しうるようになっている。
【００６９】
決済処理を終えると、ギフト商品の販売処理は一端終了し、商品の配送予約が行われた状態となる。そして、指定配送日が到来すると、商品の配送が行われ、サーバ装置４では、ギフトお届けメール４４が生成されてお届け先のメールアドレスに対して送信される。
【００７０】
図９は、ギフトお届けメール４４の一例を示す図である。
【００７１】
この例では、ギフトお届けメール４４は、贈答者からの依頼でギフト商品を配送した旨のお知らせと、当該ギフトが寄付を伴っており、寄付先の決定をお届け先ができる旨の説明、ならびに寄付先決定ページ４６へのリンク４５を含む。お届け先では、お届け先端末２で上記ギフトお届けメール４４を受信して表示し、寄付先決定ページ４６へのリンク４５を開くことにより、ブラウザに寄付先決定ページ４６が表示される。
【００７２】
図１０は、寄付先決定ページ４６の一例を示す図である。
【００７３】
この例では、寄付先決定ページ４６は、寄付先選択部４７と、お届けコードがデフォルト入力された状態で表示される入力ボックス５０、決定ボタン４８が表示されている。寄付先選択部４７は、寄付先の名称と、活動内容を紹介するテキストデータが表示され、各表示に付随して寄付先として選択するためのラジオボタン４７ａを備えている。上記ラジオボタン４７ａで寄付先を選択し、決定ボタン４８をクリックすることにより、入力ボックス５０にデフォルト入力されたお届けコードにかかる販売取引に対応する寄付額を、上記ラジオボタン４７ａで選択した寄付先への寄付として受け付ける。
【００７４】
一方、上記配送日指定処理が過ぎて所定期間、お届け先が寄付先決定ページ４６にアクセスせず、またはアクセスしても寄付先決定処理を行わなかった場合は、当該商品の販売者が予め決めておいた寄付先への寄付として受け付ける。
【００７５】
すなわち、上記第１のステップにおいて、販売したギフト商品の配送日の指定に関する配送日指定処理を実行し、上記配送日指定処理が過ぎて所定期間、第３のステップによる寄付先決定情報の受け付けがない場合、販売者が決定した寄付先に決定する。
【００７６】
以上のように、本実施形態によれば、ギフト通販と寄付活動が連動し、ギフト商品を選ぶ贈答者が寄付行為を行ない、当該寄付行為の寄付先を、ギフト商品の贈答者ではなくギフト商品が送られたギフトお届け先が決定可能である。このようにすることにより、ギフト商品を受け取った側は、贈答者から単に商品だけが届けられるのではなく、寄付という社会貢献意識まで同時に届けられ、しかも寄付先の決定権まで贈られる。したがって、単なる贈答よりはるかにインパクトがあって気持ちのこもった贈り物となる。
【００７７】
また、上記第１のステップにおいて、
寄付先を贈答者が決めるかお届け先が決めるかを選択させる選択処理を実行し、
上記選択処理において、寄付先をお届け先が決める選択がなされたときに、第２のステップおよび第３のステップを実行するため、
贈答者が自分で寄付先を決定したいときは自分で決定した寄付先に寄付できるようになる。
【００７８】
また、上記第１のステップにおいて、
販売したギフト商品の配送日の指定に関する配送日指定処理を実行し、
上記配送日指定処理が過ぎて所定期間、第３のステップによる寄付先決定情報の受け付けがない場合、販売者が決定した寄付先に決定するため、
お届け先が寄付先決定をしなかった場合、販売者が寄付先を決定することができる。
【符号の説明】
【００７９】
１：贈答者端末
２：お届け先端末
３：インターネット
４：サーバ装置
５：販売者端末
６：処理装置
７：記憶装置
８：お知らせ処理部
９：販売取引処理部
１０：寄付処理部
１１：メール処理部
１２：ウェブページ表示処理部
１３：通信処理部
１４：お知らせデータ格納部
１５：販売取引データ格納部
１６：お届け先データ格納部
１７：商品データ格納部
１８：販売者データ格納部
１９：寄付先データ格納部
２０：ウェブページデータ格納部
２１：大切な日登録ページ
２２：日付入力部
２２ａ，２２ｂ，２２ｃ：プルダウンメニュー
２３：相手入力部
２３ａ：入力ボックス
２４：イベント名入力部
２４ａ：プルダウンメニュー
２４ｂ：入力ボックス
２５：繰り返し情報入力部
２５ａ，２５ｂ：ラジオボタン
２６：予告日入力部
２６ａ，２６ｂ，２６ｃ，２６ｄ，２６ｅ：ラジオボタン
２６ｆ：プルダウンメニュー
２７：お知らせ先入力部
２７ａ，２７ｂ：入力ボックス
２８：登録ボタン
２９：大切な日お知らせメール
３０：リンク
３１：ギフト販売ページ
３２：寄付報告表示ボタン
３３：商品選択部
３３ａ：チェックボックス
３４：寄付者選択部
３４ａ，３４ｂ：ラジオボタン
３５：次へ進むボタン
３６：お届け先設定ページ
３７：新規お届け先入力部
３７ａ，３７ｂ，３７ｃ，３７ｄ，３７ｅ，３７ｆ：入力ボックス
３７ｇ：チェックボックス
３８：お届け先選択部
３８ａ：ラジオボタン
３９：次へ進むボタン
４０：配送日指定ページ
４１：配送日指定部
４１ａ，４１ｂ，４１ｃ：プルダウンメニュー
４１ｄ：チェックボックス
４２：時間帯指定部
４２ａ，４２ｂ，４２ｃ，４２ｄ，４２ｅ：ラジオボタン
４３：次へ進むボタン
４４：ギフトお届けメール
４５：リンク
４６：寄付先決定ページ
４７：寄付先選択部
４７ａ：ラジオボタン
４８：決定ボタン
４９：贈答者データ格納部
５０：入力ボックス
【図１】
0005635852.tif 000002
【図２】
0005635852.tif 000003
【図３】
0005635852.tif 000004
【図４】
0005635852.tif 000005
【図５】
0005635852.tif 000006
【図６】
0005635852.tif 000007
【図７】
0005635852.tif 000008
【図８】
0005635852.tif 000009
【図９】
0005635852.tif 000010
【図１０】
0005635852.tif 000011